(57)【要約】【課題】ガラス板積層体の梱包や開梱時の作業性を低下させることなく、ガラス板積層体を確実に固定可能なガラス板梱包用パレットを提供する。【解決手段】複数枚のガラス板３を縦姿勢で積層したガラス板積層体２の底部を下方から支持する載置面９と、ガラス板積層体２の背面を後方から支持する背もたれ面１０とを備えたガラス板梱包用パレットであって、ガラス板積層体２の周囲に沿って掛け渡され両端部がそれぞれパレットに固定される結束帯１３と、背もたれ面１０の後方側で結束帯１３の中間部に掛け止めされる掛止片１４と、結束帯１３の中間部が迂回するように掛止片１４を引き込んで結束帯１３に張力を付与する張力付与手段１５とを備えている。【選択図】図１
2014005059.tif 000002
【特許請求の範囲】
【請求項１】
複数枚のガラス板を縦姿勢で積層したガラス板積層体の底部を下方から支持する載置面と、前記ガラス板積層体の背面を後方から支持する背もたれ面とを備えたガラス板梱包用パレットにおいて、
前記ガラス板積層体の周囲に沿って掛け渡され、パレットに保持される結束帯と、
前記背もたれ面の後方側で前記結束帯の中間部に掛け止めされる掛止片と、
前記結束帯の中間部が迂回するように、前記掛止片を引き込んで前記結束帯に張力を付与する張力付与手段とを備えていることを特徴とするガラス板梱包用パレット。
【請求項２】
前記結束帯の両端部が、それぞれパレットに固定されることを特徴とする請求項１に記載のガラス板梱包用パレット。
【請求項３】
前記張力付与手段が、前記掛止片の引き込み方向と相反する向きへの移動を阻止するストッパを備えていることを特徴とする請求項１又は２に記載のガラス板梱包用パレット。
【請求項４】
前記結束帯が、前記ガラス板積層体の周囲に縦方向に沿って掛け渡され、前記掛止片が、前記ガラス板積層体の頂部から前記背もたれ面の後方に向かって略水平方向に延在する前記結束帯の中間部に吊り下げられていることを特徴とする請求項１〜３のいずれか１項に記載のガラス板梱包用パレット。
【請求項５】
前記張力付与手段が、前記掛止片を引き込み方向に付勢する付勢手段を備えていることを特徴とする請求項１〜４のいずれか１項に記載のガラス板梱包用パレット。
【請求項６】
前記付勢手段が、前記掛止片に連結された錘又は弾性部材であることを特徴とする請求項５に記載のガラス板梱包用パレット。
【請求項７】
前記張力付与手段が、前記背もたれ面の後方で、パレットと一体化されていることを特徴とする請求項１〜６のいずれか１項に記載のガラス板梱包用パレット。
【発明の詳細な説明】
【技術分野】
【０００１】
本発明は、複数枚のガラス板を縦姿勢で積層してなるガラス板積層体を梱包するためのガラス板梱包用パレットの改良技術に関する。
【背景技術】
【０００２】
液晶パネルディスプレイや、有機ＥＬディスプレイなどのフラットパネルディスプレイ（以下、ＦＰＤという。）用のガラス基板や、太陽電池用のガラス基板に代表されるように、大型且つ薄板のガラス板を梱包する場合には、複数枚のガラス板を縦姿勢で積層する方法が取られることがある。
【０００３】
この場合、ガラス板積層体はパレット上に梱包される。この種のパレットとしては、ガラス板積層体の底部を下方から支持する載置面と、ガラス板積層体の背面を後方から支持する背もたれ面とを有する略Ｌ字形状をなすものが用いられるのが通例である。ここで、ガラス板積層体のガラス板の相互間には、合紙や発泡樹脂シートなどの保護シートが介在する。
【０００４】
このような梱包形態において、ガラス板積層体のパレットへの固定方法としては、次のような方法が挙げられる。
【０００５】
すなわち、例えば特許文献１には、ガラス板積層体の周囲にゴムバンドを掛け渡し、その結束によりガラス板積層体をパレットに固定することが開示されている。
【０００６】
また、例えば特許文献２には、ゴムバンドなどの結束帯を用いる代わりに、ガラス板積層体の前面に押し当て部材を押し当て、この押し当て部材の両端部をガラス板積層体の両側方から延びるガイド部材で保持することで、ガラス板積層体をパレット上に固定することが開示されている。
【先行技術文献】
【特許文献】
【０００７】
【特許文献１】特開２０００−１４２８５６号公報
【特許文献２】特開２００６−３４７５９２号公報
【発明の概要】
【発明が解決しようとする課題】
【０００８】
しかしながら、特許文献１に開示されているように、ゴムバンドを用いた場合、ゴムバンド自体に伸縮性があるため、ガラス板積層体の固定力が弱くなり易い。すなわち、搬送時の振動等によって、ガラス板積層体に含まれるガラス板の相互間に隙間が形成されて荷崩れが生じ易い。そして、その荷崩れの過程で、ガラス板が傷付いたり、破損するという問題がある。
【０００９】
また、特許文献２に開示されているように、押し当て部材を用いた場合、押し当て部材を金属等で形成し、その剛性を確保する必要がある。そのため、押し当て部材の重量が増大し、ガラス板積層体の梱包や開梱時の作業性が低下するという問題がある。
【００１０】
本発明は、上記実情に鑑み、ガラス板積層体の梱包や開梱時の作業性を低下させることなく、ガラス板積層体を確実に固定可能なガラス板梱包用パレットを提供することを技術的課題とする。
【課題を解決するための手段】
【００１１】
上記課題を解決するために創案された本発明は、複数枚のガラス板を縦姿勢で積層したガラス板積層体の底部を下方から支持する載置面と、前記ガラス板積層体の背面を後方から支持する背もたれ面とを備えたガラス板梱包用パレットにおいて、前記ガラス板積層体の周囲に沿って掛け渡され、パレットに保持される結束帯と、前記背もたれ面の後方側で前記結束帯の中間部に掛け止めされる掛止片と、前記結束帯の中間部が迂回するように、前記掛止片を引き込んで前記結束帯に張力を付与する張力付与手段とを備えていることに特徴づけられる。
【００１２】
このような構成によれば、結束帯の中間部に掛け止めされた掛止片を張力付与手段で引き込むことで、結束帯の中間部が迂回し、結束帯に張力を付与することができる。すなわち、パレットに結束帯を保持した後は、結束帯の全長を変化させることなく、結束帯に簡単且つ確実に張力を付与することができる。したがって、軽量な結束帯を用いてガラス板積層体を確実に固定できるので、ガラス板積層体の梱包や開梱時の作業性を良好に維持することが可能となる。
【００１３】
上記の構成において、前記結束帯の両端部は、それぞれパレットに固定されることが好ましい。
【００１４】
このようにすれば、結束帯のパレットへの保持を容易に行うことができる。結束帯の固定は、例えば、結束帯の両端部を輪状又はフック状にし、パレットの梁などの骨組に固定することなどが挙げられる。なお、結束帯の両端部をパレットに固定する以外にも、例えば、結束帯をガラス積層体に掛け渡してパレットの梁などの骨組を通した後、両端部を結んで全体を輪状にするなどして、結束帯をパレットに保持するようにしてもよい。
【００１５】
上記の構成において、前記張力付与手段が、前記掛止片の引き込み方向と相反する向きへの移動を阻止するストッパを備えていることが好ましい。
【００１６】
このようにすれば、結束帯に作用する張力が弱化するのを確実に抑制することが可能となる。
【００１７】
上記の構成において、前記結束帯が、前記ガラス板積層体の周囲に縦方向に沿って掛け渡され、前記掛止片が、前記ガラス板積層体の頂部から前記背もたれ面の後方に向かって略水平方向に延在する前記結束帯の中間部に吊り下げられていてもよい。
【００１８】
このようにすれば、掛止片を引き込む方向と、掛止片に重力が作用する方向とが、ほぼ一致するため、張力付与手段により掛止片を引き込み易くなる。
【００１９】
上記の構成において、前記張力付与手段が、前記掛止片を引き込み方向に付勢する付勢手段を備えていることが好ましい。
【００２０】
このようにすれば、掛止片が常に引き込み方向に付勢されることから、結束帯に安定的に張力を付与し続けることができる。そのため、ガラス板積層体に含まれるガラス板の荷崩れをより確実に防止することが可能となる。
【００２１】
上記の構成において、前記付勢手段が、前記掛止片に連結された錘又は弾性部材であってもよい。
【００２２】
このようにすれば、掛止片を簡単な構成で付勢することができる。
【００２３】
上記の構成において、前記張力付与手段が、前記背もたれ面の後方で、パレットと一体化されていることが好ましい。
【００２４】
このようにすれば、張力付与手段の位置ずれ等が生じないため、掛止片を確実に引き込むことができる。また、開梱作業終了後に、パレットと一緒に張力付与手段も容易に回収することができる。
【発明の効果】
【００２５】
以上のように本発明によれば、ガラス板積層体の梱包や開梱時の作業性を低下させることなく、ガラス板積層体を確実に固定することができる。
【図面の簡単な説明】
【００２６】
【図１】本発明の第１実施形態に係るガラス板梱包用パレットを示す側面図である。
【図２】（ａ）は、第１実施形態に係る掛止片及び張力付与手段による張力付与前の状態を示す図であって、（ｂ）は、その張力付与後の状態を示す図である。
【図３】第１実施形態に係るガラス板梱包用パレットの掛止片の先端部を示す斜視図である。
【図４】（ａ）は、第１実施形態に係る掛止片及び張力付与手段による張力付与前の状態を示す図であって、（ｂ）は、その張力付与後の状態を示す図である。
【図５】（ａ）は、第２実施形態に係る掛止片及び張力付与手段による張力付与後の状態を示す図であって、（ｂ）は、その張力が弱まった状態から自動的に張力が回復する状態を示す図である。
【図６】（ａ）は、第２実施形態に係る掛止片及び張力付与手段による張力付与後の状態を示す図であって、（ｂ）は、その張力が弱まった状態から自動的に張力が回復する状態を示す図である。
【発明を実施するための形態】
【００２７】
以下、本発明の実施形態を添付図面を参照して説明する。
【００２８】
＜第１実施形態＞
図１は、本発明の第１実施形態に係るガラス板梱包用パレットの全体構成を示す図である。このパレット１は、ガラス板積層体２を梱包するためのものである。ガラス板積層体２は、複数枚のガラス板３を縦姿勢で積層したものであり、各ガラス板３の間には合紙や樹脂フィルム（例えば、発泡樹脂フィルム）などの保護シート４が介在している。ガラス板積層体２の前面および頂部には、ガラス板積層体２を保護するために、発泡樹脂板などからなる保護板５，６が配置されている。なお、各ガラス板３の間に介在する保護シート４は、ガラス板３の上辺及び両側辺からそれぞれ食み出していることが好ましい。この場合、保護シート４の食み出し部で、ガラス板３の各辺を覆った状態で保護することができる。
【００２９】
パレット１は、載置部７と、背もたれ部８とを備えている。載置部７は、ガラス板積層体２の底部を下方から支持する載置面９を有する。背もたれ部８は、ガラス板積層体２の背面を後方から支持する背もたれ面１０を有する。載置面９および背もたれ面１０には、ガラス板積層体２を保護するために、発泡樹脂板等からなる保護板１１，１２が配置されている。載置面９は、前方よりも後方が下方に位置する傾斜面をなし、背もたれ面１０は、下方よりも上方が後方に位置する傾斜面をなす。載置面９と背もたれ面１０のなす角は、例えば９０〜１１０°、好ましくは９０〜１００°である。なお、載置面９は水平面であってもよい。背もたれ面１０は垂直面であってもよい。
【００３０】
ガラス板積層体２は、複数本（例えば、２本）の結束帯１３を間隔を置いて、ガラス板積層体２の周囲に縦方向（上下方向）に沿って掛け渡さして結束することで、固定されている。各結束帯１３の両端部は、パレット１に固定可能となっている。結束帯１３の固定方法は、特に限定されるものではないが、例えば、結束帯１３の端部にフック部を形成して、パレット１の骨組に掛け止めして固定したり（図１を参照）、或いは、結束帯１３の端部に輪状部を形成し、パレット１の骨組を挿通させて固定する。
【００３１】
パレット１は、図２（ａ），（ｂ）に示すように、背もたれ面１０の後方側に、結束帯１３の中間部に掛け止めされる掛止片１４と、結束帯１３の中間部が迂回するように掛止片１４を下方に引き込んで結束帯１３に張力を付与する張力付与手段１５とを備えている。
【００３２】
掛止片１４の先端部には、図３に示すように、結束帯１３の掛止穴１６が設けられている。この掛止穴１６は、結束帯１３の全周を包囲するように連続していてもよいが、図示のように、一部が開放していてもよい。後者の場合、開放部１７から掛止穴１６内に結束帯１３を誘導できるので便利である。
【００３３】
張力付与手段１５は、回転自在に軸支された状態で掛止片１４の基端部（図中の下端部）に連結されたレバー部１８と、レバー部１８の回転動作を阻止する留め具１９と、レバー部１８の回転動作によって引き込まれる掛止片１４の両端部をガイドするガイド片２０とを備えている。レバー部１８及び留め具１９は、パレット１の背もたれ面１０の背面（ガラス板積層体２を支持する側と反対側の面）や、背もたれ部８の骨組に固定され、パレット１と一体化されている。
【００３４】
なお、結束帯１３の材質は、例えば、ポリプロピレンやナイロンなどが使用される。
【００３５】
このように構成されたパレット１は、次のようにして、結束帯１３に張力を付与してガラス板積層体２を固定する。
【００３６】
すなわち、図２（ａ）に示す状態から、レバー部１８を回転させて掛止片１４を下方に引き込む。この掛止片１４の引き込み動作により、図２（ｂ）に示すように、掛止片１４の掛止穴１６に挿通された結束帯１３の中間部は下方に引っ張られ、結束帯１３に張力が作用する。この実施形態では、掛止片１４が掛止される結束帯１３の中間部は、ガラス板積層体２の頂部から背もたれ面１０の後方に向かって略水平方向に延在している。
【００３７】
そして、この状態で、回動させたレバー部１８を留め具１９によって固定する。そのため、掛止片１４は、引き込まれたまま保持され、結束帯１３に張力が付与された状態が持続する。すなわち、留め具１９が、掛止片１４の引き込み方向と相反する向き（上方）への移動を阻止するストッパとして機能する。これにより、ガラス板積層体２が結束帯１３により確実に結束され、パレット１上に固定される。
【００３８】
このようにすれば、結束帯１３の両端部などを引き寄せてその全長を無理に短くしなくても、結束帯１３の中間部を引き込むだけで結束帯１３に張力を付与することができる。すなわち、結束帯１３の両端部をパレット１に固定した後は、結束帯１３の全長を変化させることなく、結束帯１３に簡単且つ確実に張力を付与することができる。したがって、ガラス板積層体２の梱包や開梱時の作業性を良好に維持することが可能となる。
【００３９】
一方、開梱時には、図２（ｂ）に示す状態から、留め具１９を外して、レバー部１８を図２（ａ）に示す位置まで回転させて、掛止片１４の引き込みを解除、すなわち、結束帯１３に作用する張力を解除する。
【００４０】
ここで、パレット１と一体化された張力付与手段１５に掛止片１４が連結されているので、掛止片１４もパレット１と一体化している。そのため、梱包時や開梱時にその都度、張力付与手段１５や掛止片１４などの付属品をパレット１に取り付けたり、取り外したりしなくて済むので、梱包・開梱作業が簡便になると共に、開梱後のパレット１の回収も容易になる。
【００４１】
＜第２実施形態＞
図４（ａ），（ｂ）は、本発明の第２実施形態に係るガラス板梱包用パレットの要部を拡大して示す図である。この第２実施形態に係るパレット１が、第１実施形態に係るパレット１と相違するところは、掛止片１４および張力付与手段１５の構成にある。
【００４２】
詳細には、第２実施形態では、掛止片１４にラック溝２１が設けられており、このラック溝２１に、レバー部１８に設けられた第１係合爪２２と、第１係合爪２２とは別の位置（図中では下方）に配置された第２係合爪２３が、それぞれ噛み合うようになっている。そして、図４（ａ），（ｂ）に示すように、レバー部１８を揺動操作すると、ラック溝２１と噛み合っている第１係合爪２２が掛止片１４を下方に順次誘導する。このとき、第２係合爪２３は、バネ等の弾性部材２４によってラック溝２１側に付勢されているため、第１係合爪２２によって下方に誘導された掛止片１４が再び上方へ戻ろうとする動きが規制される。すなわち、レバー部１８を揺動操作する度に、掛止片１４が下方へと引き込まれ、結束帯１３の張力を強めることができる。
【００４３】
一方、結束帯１３の張力を解除する場合には、第１係合爪２２とラック溝２１の噛み合い状態、及び第２係合爪２３とラック溝２１の噛み合い状態をそれぞれ解除する（図４（ａ）参照）。
【００４４】
なお、レバー部１８を支持する第１支持体２５と、第２係合爪２３を支持する第２支持体２６とが、第１実施形態のガイド片２０の役割を果たしている。すなわち、各第１支持体２５の間、及び各第２支持体２６の間で、掛止片１４の移動が案内される。
【００４５】
＜第３実施形態＞
図５（ａ），（ｂ）は、本発明の第３実施形態に係るガラス板梱包用パレットの要部を拡大して示す図である。この第３実施形態に係るパレット１が、第２実施形態に係るパレット１と相違するところは、張力付与手段１５が、掛止片１４を引き込み方向（下方）に付勢する付勢手段として弾性部材２７を備えている点にある。
【００４６】
詳細には、第３実施形態では、掛止片１４の基端部と、第２係合爪２３を支持する第２支持体２６との間に、圧縮バネなどの弾性部材２７が挿入されている。そのため、掛止片１４は引き込み方向（下方）に常に付勢されている。その結果、結束帯１３の張力によって掛止片１４に作用する引き上げ力と、弾性部材２７による引き込み力がつり合った段階で、掛止片１４は保持される。したがって、図５（ａ）に示すように、仮に、搬送途中などに結束帯１３の張力が弱まると、弾性部材２７による引き込み力の方が大きくなるので、図５（ｂ）に示すように、掛止片１４は自動的に下方に引き込まれ、結束帯１３に対して再び適正な張力が付与される。すなわち、結束帯１３の緩みを自動的に解消することができる。
【００４７】
＜第４実施形態＞
図６（ａ），（ｂ）は、本発明の第４実施形態に係るガラス板梱包用パレットの要部を拡大して示す図である。この第４実施形態に係るパレット１が、第３実施形態に係るパレット１と相違するところは、掛止片１４を引き込み方向（下方）に付勢する付勢手段の構成にある。
【００４８】
第４実施形態では、付勢手段として、弾性部材２７に代えて錘２８を用いている。この場合、錘２８に作用する重力によって、掛止片１４が常に下方に付勢されるので、上記した弾性部材２７の場合と同様の作用効果を享受することができる。なお、付勢手段は、これらに限定されるものではなく、掛止片１４に対して常に下方向きに力を付与し続けられるものであればよい。
【００４９】
なお、本発明は、上記実施形態に限定されるものではなく、種々の形態で実施することができる。例えば、上記の実施形態では、結束帯１３をガラス板積層体２の周囲に縦方向（上下方向）に沿って掛け渡す場合を説明したが、結束帯１３をガラス板積層体２の周囲に横方向（略水平方向）に沿って掛け渡すようにしてもよい。この場合、掛止片の引き込み方向も横方向となる。
【符号の説明】
【００５０】
１      ガラス板梱包用パレット
２      ガラス板積層体
３      ガラス板
４      保護シート
７      載置部
８      背もたれ部
９      載置面
１０    背もたれ面
１３    結束帯
１４    掛止片
１５    張力付与手段
１８    レバー部
１９    留め具
２０    ガイド片
２１    ラック溝
２２    第１係合爪
２３    第２係合爪
２７    弾性部材
２８    錘
【図１】
2014005059.tif 000003
【図２】
2014005059.tif 000004
【図３】
2014005059.tif 000005
【図４】
2014005059.tif 000006
【図５】
2014005059.tif 000007
【図６】
2014005059.tif 000008